(57)【特許請求の範囲】
【請求項１】
複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置の制御装置であって、
前記電力系統に周波数の変動が生じた場合に該変動を回復させるための周波数の設定値が入力され、前記風力発電装置の発電出力の周波数の計測値と、前記周波数の設定値との差である周波数変化量を算出する算出手段と、
前記算出手段によって算出された前記周波数変化量に応じた電力変化量を、前記発電機の回転数に基づいて制限する制限手段と、
を備えた風力発電装置の制御装置。
【請求項２】
前記制限手段は、前記発電機の回転数が第１設定値以下の場合に、前記電力変化量を予め定められた第１制限値とし、前記発電機の回転数が第２設定値以上の場合に、前記電力変化量を前記第１制限値よりも大きい予め定められた第２制限値とし、前記発電機の回転数が第１設定値を超え第２設定値未満の場合に、前記発電機の回転数の上昇と共に前記電力変化量の制限値を前記第１制限値から前記第２制限値の間で上昇させる請求項１記載の風力発電装置の制御装置。
【請求項３】
前記制限手段は、前記電力変化量に所定のゲインを乗算し、
前記所定のゲインは、前記発電機の回転数が第１設定値以下の場合、第１ゲインであり、前記発電機の回転数が第２設定値以上の場合、第２ゲインであり、前記発電機の回転数が前記第１設定値を超えると、前記発電機の回転数の上昇と共に前記第１ゲイン及び前記第２ゲインよりも高い第３ゲインまで上昇し、該第３ゲインに達すると、前記第２設定値に達するまで前記第２ゲインに下降する請求項１記載の風力発電装置の制御装置。
【請求項４】
前記制限手段は、前記発電機の回転の加速度に基づいて、前記電力変化量を補正する請求項１記載の風力発電装置の制御装置。
【請求項５】
前記制限手段は、前記発電機の回転数、前記周波数の計測値、及び前記風力発電装置に対する風速に基づいて、前記風力発電装置の発電出力の周波数、前記風力発電装置に対する風速の変動量を予測し、予測結果に基づいて前記電力変化量を補正する請求項１記載の風力発電装置の制御装置。
【請求項６】
複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置と、
前記風力発電装置を制御する請求項１から請求項５の何れか１項に記載の風力発電装置の制御装置と、
を備えた風力発電システム。
【請求項７】
複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置の制御方法であって、
前記電力系統に周波数の変動が生じた場合に該変動を回復させるための周波数の設定値が入力され、前記風力発電装置の発電出力の周波数の計測値と、前記周波数の設定値との差である周波数変化量を算出する第１工程と、
前記第１工程によって算出された前記周波数変化量に応じた電力変化量を、前記発電機の回転数に基づいて制限する第２工程と、
を含んだ風力発電装置の制御方法。
【発明の詳細な説明】
【技術分野】
【０００１】
本発明は、風力発電装置の制御装置、風力発電システム、及び風力発電装置の制御方法
に関するものである。
【背景技術】
【０００２】
近年、系統連系されている風力発電装置に対して、電力系統の擾乱発生から予め定められた時間内（例えば３０秒以内）に電力系統の周波数の変動の回復に寄与すること（Primary Frequency Response、以下、「ＰＦＲ」という。）が求められている。
特許文献１には、ＰＦＲにおいて、ロータの回転数や発電出力に基づいて、出力する有効電力に制限を設けることが記載されている。
【先行技術文献】
【特許文献】
【０００３】
【特許文献１】米国特許第７３４５３７３号明細書
【発明の概要】
【発明が解決しようとする課題】
【０００４】
ＰＦＲは、一般には設定周波数と実際の周波数（計測値）との偏差（周波数変化量）に応じて、風力発電装置の発電出力を増減させるが、一定しない自然エネルギを動力源とする風力発電装置では、ガスの燃焼や蒸気等の制御可能な安定したエネルギを動力源とするタービン発電機（同期発電機）に比べて、ロータの回転数が大きく変動する場合がある。
【０００５】
そのため、図１０に示すように、ＰＦＲを行うために追加して要求される発電出力であるＰＦＲ要求量が大きすぎると、例えば、ロータの回転数が小さい場合に、ロータが有する慣性力までも発電に用いられると、ロータの回転数が解列下限を下回って、風力発電装置が解列する可能性がある。また、例えば、ロータの回転数が大きい場合に、さらに発電量の増加を求められると、ロータの回転数が過速度上限を超過し、風力発電装置がトリップ（出力の遮断）する可能性がある。なお、トリップする場合とは、ロータの過回転の他、過出力、過電流でも起こる場合もある。
このような、ＰＦＲの実行中の風力発電装置の解列やトリップは、電力系統に対して擾乱として作用し、ＰＦＲを行わない場合よりも電力系統の周波数をより不安定にする可能性がある。また、一旦トリップすると再起動までに時間を要するため、風力発電装置は、電力系統の周波数を回復させるという目的を達成できない。
【０００６】
本発明は、このような事情に鑑みてなされたものであって、電力系統の周波数の変動を回復させる場合に発電出力の増減が過剰となり、風力発電装置が電力系統へ電力を供給できなくなること防ぐことができる、風力発電装置の制御装置、風力発電システム、及び風力発電装置の制御方法を提供することを目的とする。
【課題を解決するための手段】
【０００７】
上記課題を解決するために、本発明の風力発電装置の制御装置、風力発電システム、及び風力発電装置の制御方法は以下の手段を採用する。
【０００８】
すなわち、本発明に係る風力発電装置の制御装置は、複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置の制御装置であって、前記電力系統に周波数の変動が生じた場合に該変動を回復させるための周波数の設定値が入力され、前記風力発電装置の発電出力の周波数の計測値と、前記周波数の設定値との差である周波数変化量を算出する算出手段と、前記算出手段によって算出された前記周波数変化量に応じた電力変化量を、前記発電機の回転数に基づいて制限する制限手段と、を備える。
【０００９】
本発明によれば、風力発電装置の制御装置は、複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置を制御する。
【００１０】
そして、風力発電装置の制御装置は、算出手段によって、電力系統に周波数の変動が生じた場合に該変動を回復させるための周波数の設定値が入力され、風力発電装置の発電出力の周波数の計測値と、周波数の設定値との差である周波数変化量が算出される。周波数変化量とは、風力発電装置が要求されている発電出力の周波数と実際の発電出力の周波数との差であり、電力系統に周波数の変動が生じると、制御手段には該変動を回復させるための設定値が入力される。すなわち、電力系統に周波数の変動が生じると、算出手段によって、電力系統の周波数の変動を回復させるために必要とされる周波数の変化量が算出される。
さらに、制限手段によって、算出手段で算出された周波数変化量に応じた電力変化量が、発電機の回転数に基づいて制限される。
【００１１】
風力発電装置の発電出力の周波数と電力（有効電力）とは一対一の関係があり、周波数を変化させることは、電力を変化させることとなる。しかし、周波数変化量に応じて、より多くの電力を風力発電装置から出力させることによって、ロータの回転が、風力発電装置を電力系統から解列させる回転数以下になる場合がある。また、ロータの回転が過速度上限を超過し、風力発電装置がトリップする場合がある。風力発電装置の解列及びトリップは、電力系統の周波数の変動の回復に寄与しないばかりか、電力系統の周波数をより不安定にする可能性がある。さらに、発電機の回転数は、ロータの回転数と関係性を有し、発電機の回転数が低いとロータの回転数も低く、発電機の回転数が高いとロータの回転数も高い。
【００１２】
そのため、本発明は、発電機の回転数に基づいて、周波数変化量に応じた電力変化量を制限することによって、電力系統の周波数の変動を回復させる場合に発電出力の増減が過剰となり、風力発電装置が電力系統へ電力を供給できなくなること防ぐことができる。
【００１３】
また、本発明の風力発電装置の制御装置は、前記制限手段が、前記発電機の回転数が第１設定値以下の場合に、前記電力変化量を予め定められた第１制限値とし、前記発電機の回転数が第２設定値以上の場合に、前記電力変化量を前記第１制限値よりも大きい予め定められた第２制限値とし、前記発電機の回転数が第１設定値を超え第２設定値未満の場合に、前記発電機の回転数の上昇と共に前記電力変化量の制限値を前記第１制限値から前記第２制限値の間で上昇させてもよい。
【００１４】
本発明によれば、制限手段によって、発電機の回転数が第１設定値以下の場合に、電力変化量が第１制限値とされ、発電機の回転数が第２設定値以上の場合に、電力変化量が第１制限値よりも大きい予め定められた第２制限値とされる。さらに、制限手段によって、発電機の回転数が第１設定値を超え第２設定値未満の場合に、発電機の回転数の上昇と共に電力変化量の制限値が、第１制限値から第２制限値の間で上昇される。
【００１５】
例えば、発電機の回転数が第１設定値以下の場合とは、ロータの回転数がより低い場合であり、現状よりも多くの電力を出力させようとすると、ロータの回転数が低くなりすぎ、風力発電装置の発電出力が解列下限よりも低くなる可能性がある場合である。このような場合に、電力変化量に第１制限値を設け、風力発電装置の解列を防止する。
【００１６】
一方、発電機の回転数が第２設定値以上の場合とは、ロータの回転数がより高い場合であり、現状よりも多くの電力を出力させようとすると、風力発電装置がトリップする可能性がある場合である。このような場合に、電力変化量に第２制限値を設け、風力発電装置のトリップを防止する。
【００１７】
そして、発電機の回転数が第１設定値を超え第２設定値未満の場合は、発電機の回転数の上昇と共に電力変化量の制限値が高くなるようにすることで、発電機の回転数に応じた制限値で電力変化量が制限される。
【００１８】
従って、本発明は、電力系統の周波数の変動を回復させる場合に発電出力の増減が過剰となり、風力発電装置が電力系統へ電力を供給できなくなることを、より確実に防ぐことができる。
【００１９】
また、本発明の風力発電装置の制御装置は、前記制限手段が、前記電力変化量に所定のゲインを乗算し、前記所定のゲインを、前記発電機の回転数が第１設定値以下の場合、第１ゲインとし、前記発電機の回転数が第２設定値以上の場合、第２ゲインとし、前記発電機の回転数が前記第１設定値を超えると、前記発電機の回転数の上昇と共に前記第１ゲイン及び前記第２ゲインよりも高い第３ゲインまで上昇し、該第３ゲインに達すると、前記第２設定値に達するまで前記第２ゲインに下降させてもよい。
【００２０】
本発明によれば、制限手段によって電力変化量に乗算されるゲインは、発電機の回転数が第１設定値以下の場合、第１ゲインに設定され、発電機の回転数が第２設定値以上の場合、第２ゲインに設定される。すなわち、第１ゲイン及び第２ゲインを小さく設定する（例えば、０(零)）ことで、電力変化量が、小さくされる。これにより、ロータの回転数が低くなりすぎること、及び発電出力が高くなりすぎることが防がれる。
【００２１】
一方、発電機の回転数が第１設定値と第２設定値との間の場合、ゲインは、発電機の回転数の上昇と共に第１ゲイン及び第２ゲインよりも高い第３ゲインまで上昇し、該第３ゲインに達すると、第２ゲインに下降するように設定される。
【００２２】
従って、本発明は、電力系統の周波数の変動を回復させる場合に発電出力の増減が過剰となり、風力発電装置が電力系統へ電力を供給できなくなることを、より確実に防ぐことができる。
【００２３】
また、本発明の風力発電装置の制御装置は、前記制限手段が、前記発電機の回転の加速度に基づいて、前記電力変化量を補正してもよい。
【００２４】
本発明によれば、例えば、発電機の回転数の微分値から求められる発電機の回転の加速度に基づいて、電力変化量が補正される。すなわち、回転数の減速及び加速に応じて電力変化量が補正される。
【００２５】
従って、本発明は、電力系統の周波数の変動を回復させる場合に発電出力の増減が過剰となり、風力発電装置が電力系統へ電力を供給できなくなることを、より確実に防ぐことができる。
【００２６】
また、本発明の風力発電装置の制御装置は、前記制限手段が、前記発電機の回転数、前記周波数の計測値、及び前記風力発電装置に対する風速に基づいて、前記風力発電装置の発電出力の周波数、前記風力発電装置に対する風速の変動量を予測し、予測結果に基づいて前記電力変化量を補正してもよい。
【００２７】
本発明によれば、風力発電装置の発電出力の周波数、風速の変動量を予測し、予測結果に基づいて電力変化量が補正されるので、電力系統の周波数の変動を回復させる場合に発電出力の増減が過剰となり、風力発電装置が電力系統へ電力を供給できなくなることを、より確実に防ぐことができる。
【００２８】
一方、本発明に係る風力発電システムは、複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置と、前記風力発電装置を制御する請求項１から請求項５の何れか１項に記載の制御装置と、を備える。
【００２９】
本発明によれば、風力発電装置が上記記載の制御装置によって制御されるので、電力系統の周波数の変動を回復させる場合に発電出力の増減が過剰となり、風力発電装置が電力系統へ電力を供給できなくなること防ぐことができる。
【００３０】
さらに、本発明に係る風力発電装置の制御方法は、複数枚の翼を有するロータが風を受けて回転し、該ロータの回転により発電機が発電し、電力系統に電力を供給すると共に、該電力系統の周波数の変動に応じて電力系統へ供給する電力量が変更可能な風力発電装置の制御方法であって、前記電力系統に周波数の変動が生じた場合に該変動を回復させるための周波数の設定値が入力され、前記風力発電装置の発電出力の周波数の計測値と、前記周波数の設定値との差である周波数変化量を算出する第１工程と、前記第１工程によって算出された前記周波数変化量に応じた電力変化量を、前記発電機の回転数に基づいて制限する第２工程と、を含む。
【００３１】
本発明によれば、発電機の回転数に基づいて、周波数変化量に応じた電力変化量を制限することによって、電力系統の周波数の変動を回復させる場合に発電出力の増減が過剰となり、風力発電装置が電力系統へ電力を供給できなくなること防ぐことができる。
【発明の効果】
【００３２】
本発明によれば、電力系統の周波数の変動を回復させる場合に発電出力の増減が過剰となり、風力発電装置が電力系統へ電力を供給できなくなること防ぐことができる、という優れた効果を有する。
【図面の簡単な説明】
【００３３】
【図１】本発明の第１実施形態に係る風力発電装置の外観図である。
【図２】本発明の第１実施形態に係るウインドファームの全体構成、及び風力発電装置の電気的構成を示した模式図である。。
【図３】本発明の第１実施形態に係る電力指令値生成部の構成を示すブロック図である。
【図４】本発明の第１実施形態に係るＰＦＲ要求量生成部の構成を示すブロック図である。
【図５】本発明の第１実施形態に係るＰＦＲ要求量制限値の一例を示す模式図である。
【図６】本発明の第２実施形態に係るＰＦＲ要求量生成部の構成を示すブロック図である。
【図７】本発明の第２実施形態に係る可変ゲインの一例を示す模式図であり、（Ａ）は、ゲインが三角形状に変化する場合を示し、（Ｂ）は、ゲインが円弧状に変化する場合を示す。
【図８】本発明の第３実施形態に係る電力指令値生成部の構成を示すブロック図であり、（Ａ）は、電力変化量に発電機回転数計測値に応じたゲインを加算することで電力変化量を補正する場合であり、（Ｂ）は、調定率を可変とすることで電力変化量を補正する場合である。
【図９】本発明の第４実施形態に係る電力指令値生成部の構成を示すブロック図であり、（Ａ）は、電力変化量に発電出力の周波数、風速に応じた値を加算することで電力変化量を補正する場合であり、（Ｂ）は、調定率を可変とすることで電力変化量を補正する場合である。
【図１０】従来の周波数応答制御の説明に要する図である。
【発明を実施するための形態】
【００３４】
以下に、本発明に係る風力発電装置の制御装置、風力発電システム、及び風力発電装置の制御方法の一実施形態について、図面を参照して説明する。
【００３５】
〔第１実施形態〕
以下、本発明の第１実施形態について説明する。
図１は、本第１実施形態に係る風力発電装置１０の外観図である。
図１に示す風力発電装置１０は、所謂可変速風車であり、基礎１２上に立設される支柱１４と、支柱１４の上端に設置されるナセル１６と、略水平な軸線周りに回転可能にしてナセル１６に設けられるロータ１８とを有している。
【００３６】
ロータ１８には、その回転軸線周りに放射状にして複数（本第１実施形態では、一例として３つ）の風車回転翼（以下、単に「翼２０」という）が取り付けられている。これにより、ロータ１８の回転軸線方向から翼２０に当たった風の力が、ロータ１８を回転軸線周りに回転させる動力に変換され、該動力が同期発電機である発電機４６（図２参照）によって電力に変換される。なお、翼２０は、運転条件に応じて回動可能なようにロータ１８に連結されており、翼２０のピッチ角が変化可能とされている。
【００３７】
図２は、第１実施形態に係るウインドファーム３０の全体構成、及び風力発電装置１０の電気的構成を示した模式図である。ウインドファーム３０は、複数の風力発電装置１０、サブステーション３１、各風力発電装置１０毎に対応して設けられた複数の風車制御装置３２を備えている。なお、風力発電装置１０と風車制御装置３２との組み合わせを風力発電システムという。
【００３８】
各風力発電装置１０は、変圧器３４を介してサブステーション３１に接続されると共に、サブステーション３１が有する変圧器３４及び送電線３６を介して系統連系され、電力系統３８へ電力を供給する。
【００３９】
また、サブステーション３１には、ウインドファーム３０全体の制御を司るマスターコントローラ４１（例えば、ＳＣＡＤＡ（Supervisory Control And Data Acquisition））が設けられている。
【００４０】
マスターコントローラ４１は、電力系統３８から要求される出力値（電力量）を示す系統要求出力値を受信し、各風車制御装置３２へ送信する。
【００４１】
風車制御装置３２は、対応する風力発電装置１０を制御するために、系統要求出力値に応じた電力指令値を生成し、対応する風力発電装置１０の発電出力（有効電力）を制御したり、翼２０のピッチ角を制御するためにピッチ角指令値を生成し、ピッチアクチュエータ（不図示）へ出力する等を行う。また、風車制御装置３２は、風力発電装置１４の発電出力や風力発電装置１４の制御状態を示すデータ等をマスターコントローラ４１へ送信する。
【００４２】
なお、風車制御装置３２は、タービンコントローラ４０及びコンバータコントローラ４２を備える。
タービンコントローラ４０は、系統要求出力値に応じたパラメータとして、風力発電装置１０の発電出力の周波数の設定値（以下、「周波数設定値」という。）を記憶しており、該周波数設定値に基づいて、電力指令値を生成し、コンバータコントローラ４２へ出力する。
そして、コンバータコントローラ４２は、入力された電力指令値に基づいて、風力発電装置１０に備えられたコンバータ４４を制御する。
コンバータ４４は、コンバータコントローラ４２からの制御信号に基づいて、発電機４６から電力系統３８への発電出力を制御する。
【００４３】
次に、タービンコントローラ４０による電力指令値の生成について説明する。
図３は、電力指令値を生成する電力指令値生成部５０の構成を示すブロック図である。
【００４４】
電力指令値生成部５０は、発電機回転数設定値ω＊と発電機回転数計測値ωとが入力される。発電機回転数設定値ω＊は、周波数設定値に基づいて生成され、発電機回転数計測値ωは、実際に計測された発電機４６の回転数である。
【００４５】
発電機回転数設定値ω＊及び発電機回転数計測値ωは、減算器５２に入力され、減算器５２は、発電機回転数設定値ω＊と発電機回転数計測値ωとの偏差を、ＰＩ制御部５４へ出力する。
【００４６】
ＰＩ制御部５４は、入力された偏差に基づいた電力指令値Ｐ＊ｏを生成し、制限部５６へ出力する。
【００４７】
制限部５６は、入力された電力指令値Ｐ＊ｏが予め定められた上限値を超えている場合は、電力指令値Ｐ＊ｏを該上限値に制限して出力する。制限部５６から出力された電力指令値Ｐ＊は、加算器５８でＰＦＲ要求量Ｐｄと加算され、電力指令値Ｐ＊totalとしてコンバータコントローラ４２へ出力される。なお、ＰＦＲ要求量Ｐｄは、タービンコントローラ４０に備えられている後述するＰＦＲ要求量生成部６０から出力される。
【００４８】
ここで、風力発電装置１０は、風車制御装置３２による制御によって、電力系統３８の周波数（以下、「系統周波数」という。）の変動に応じて発電出力が変更可能とされている。すなわち、風力発電装置１０は、系統周波数に変動が生じると、該変動を回復するＰＦＲを実行する。そして、ＰＦＲ要求量Ｐｄとは、ＰＦＲを実行するための発電出力の増加量、又減少量である。
【００４９】
しかしながら、ＰＦＲ要求量Ｐｄが大きすぎると、例えば、ロータ１８の回転数が小さい場合に、ロータ１８が有する慣性力までも発電に用いられると、ロータ１８の回転数が解列下限を下回って、風力発電装置１０が解列する可能性がある。また、ロータ１８の回転数が大きい場合に、さらに発電量の増加を求められると、ロータ１８の回転数が過速度上限を超過し、風力発電装置１０がトリップする場合がある。風力発電装置１０の解列及びトリップは、電力系統３８の周波数の変動の回復に寄与しないばかりか、電力系統３８の周波数をより不安定にする可能性がある。
【００５０】
そこで、本第１実施形態に係る風車制御装置３２は、過大とならないように制限したＰＦＲ要求量Ｐｄを生成する。
【００５１】
図４は、本第１実施形態に係るＰＦＲ要求量生成部６０の構成を示すブロック図である。
【００５２】
ＰＦＲ要求量生成部６０は、減算器６２、調定部６４、及び制限部６６を備えている。
減算器６２は、風力発電装置１０の発電出力の周波数の計測値（以下、「周波数計測値」という。）ｆと、風力発電装置１０の周波数設定値ｆ＊が入力され、周波数計測値ｆと周波数設定値ｆ＊との差である周波数変化量を算出する。
【００５３】
周波数変化量とは、風力発電装置１０が要求されている発電出力の周波数（周波数設定値ｆ＊）と実際の発電出力の周波数（周波数計測値ｆ）との差であり、電力系統３８に周波数の変動が生じると、ＰＦＲ要求量生成部６０には該変動を回復させるための周波数設定値ｆ＊が入力される。すなわち、電力系統３８に周波数の変動が生じると、減算器６２によって、電力系統３８の周波数の変動を回復させるために必要とされる周波数変化量が算出される。
【００５４】
調定部６４は、周波数変化量に所定の調定率（１／Ｒ（Ｒ分の１）、Ｒは定数）を乗算することによって、周波数変化量に応じた電力変化量を算出する。
【００５５】
そして、制限部６６は、発電機４６の回転数の計測値（以下、「発電機回転数計測値」という。）ωが入力され、入力された電力変化量を発電機回転数計測値ωに基づいて制限した、ＰＦＲ要求量Ｐｄを電力指令値生成部５０へ出力する。
【００５６】
なお、上述のように、調定部６４で周波数変化量に調定率を乗算することによって周波数に応じた電力を算出するように、風力発電装置１０の発電出力の周波数と電力（有効電力）とは一対一の関係があり、周波数を変化させることは、電力を変化させることとなる。
また、発電機４６の回転数は、ロータ１８の回転数と関係性を有し、発電機４６の回転数が低いとロータ１８の回転数も低く、発電機４６の回転数が高いとロータ１８の回転数も高い。
【００５７】
このように、本第１実施形態に係る風車制御装置３２は、ロータ１８の回転数と関連性のある発電機回転数計測値ωに基づいて、周波数変化量に応じた電力変化量を制限することによって、電力系統３８の周波数の変動を回復させる場合に発電出力の増減が過剰となり、風力発電装置１０が電力系統３８へ電力を供給できなくなること防ぐ。
【００５８】
なお、本第１実施形態に係る制限部６６は、図４に示す発電機回転数ωとＰＦＲ要求量制限値との関係に基づいて、入力された電力変化量を制限したＰＦＲ要求量Ｐｄを出力する。
【００５９】
本第１実施形態に係る制限部６６は、発電機回転数計測値ωが最小設定値以下の場合に、電力変化量を第１制限値とし、発電機回転数計測値ωが最大設定値以上の場合に、電力変化量を第１制限値よりも大きい予め定められた第２制限値とする。さらに、制限部６６は、発電機回転数計測値ωが最小設定値を超え最大設定値未満の場合に、発電機回転数計測値ωの上昇と共に電力変化量の制限値を、第１制限値から第２制限値の間で上昇させる。
【００６０】
例えば、図５に示すように電力系統３８の周波数低下時（周波数設定値ｆ＊が周波数計測値ｆよりも大きくなる場合）において、発電機回転数計測値ωが最小設定値以下の場合とは、ロータ１８の回転数がより低い場合であり、現状よりも多くの電力を出力させるためにロータ１８の慣性力を用いると、ロータ１８のその後回転数が低くなりすぎ、風力発電装置１０の発電出力が解列下限よりも低くなる可能性がある場合である。このような場合に、電力変化量に第１制限値（図５の例では、０(零)）を設け、風力発電装置１０の解列を防止する。すなわち、発電機回転数計測値ωが最小設定値以下の風力発電装置１０のＰＦＲ要求量Ｐｄは、０となるので、該風力発電装置１０は、ＰＦＲを実行しない。
一方、電力系統３８の周波数低下時において、発電機回転数計測値ωが最大設定値以上の場合とは、ロータ１８の回転数がより高い場合であり、現状よりも多くの電力を出力させようとすると、風力発電装置１０がトリップする可能性がある場合である。このような場合に、電力変化量に第２制限値を設け、風力発電装置１０のトリップを防止する。
【００６１】
そして、発電機回転数計測値ωが最小設定値を超え最大設定値未満の場合は、発電機４６の回転数の上昇と共に電力変化量の制限値が高くなるようにすることで、発電機４６の回転数に応じた制限値で電力変化量が制限され、ＰＦＲ要求量Ｐｄとして出力される。
このように、電力系統３８の周波数低下時では、ＰＦＲ要求量Ｐｄは、０から正の値の範囲で変化するので、風力発電装置１０は、より多くの電力を電力系統３８へ供給する。具体的には、風車制御装置３２は、翼２０のピッチ角をよりファイン側へ変更し、ロータ１８の回転数を上昇させて発電出力を増加させる制御、ロータ１８に蓄えられている慣性力を用いて発電出力を上昇させる制御等を行う。
【００６２】
一方、図５に示すように電力系統３８の周波数上昇時（周波数設定値ｆ＊が周波数計測値ｆよりも小さくなる場合）では、最小設定値に対応する第１制限値は、０以下であり、最大設定値に対応する第２制限値は、０である。
このため、電力系統３８の周波数上昇時では、ＰＦＲ要求量Ｐｄは、負の値から０の範囲で変化するので、風力発電装置１０は、電力系統３８へ供給する電力を減少させる。具体的には、風車制御装置３２は、翼２０のピッチ角をよりフェザー側へ変更し、ロータ１８の回転数を下降させて発電出力を減少させる制御等を行う。
【００６３】
従って、本第１実施形態に係る風車制御装置３２は、電力系統３８の周波数の変動を回復させる場合に発電出力の増減が過剰となり、風力発電装置１０が電力系統へ電力を供給できなくなることを、より確実に防ぐことができる。
【００６４】
なお、図５に示されるＰＦＲ要求量制限値は、一例であり、これに限定されない。
【００６５】
〔第２実施形態〕
以下、本発明の第２実施形態について説明する。
なお、本第２実施形態に係る風力発電装置１０、ウインドファーム３０、及び電力指令値生成部５０の構成は、図１，２，３に示される第１実施形態に係る風力発電装置１０、ウインドファーム３０、及び電力指令値生成部５０の構成と同様であるので説明を省略する。
【００６６】
図６は、本第２実施形態に係るＰＦＲ要求量生成部６０の構成を示す。なお、図６における図４と同一の構成部分については図４と同一の符号を付して、その説明を省略する。
本第２実施形態に係るＰＦＲ要求量生成部６０は、ゲイン部７０及び乗算器７２を備える。
【００６７】
ゲイン部７０には、発電機回転数計測値ωが入力され、発電機回転数計測値ωに基づいたゲインを乗算器７２へ出力する。
ゲイン部７０から出力されるゲインは、発電機回転数計測値ωに基づいて変化する可変ゲインであり、発電機回転数計測値ωが最小設定値以下の場合、第１ゲインに設定され、発電機回転数計測値ωが第２設定値以上の場合、第２ゲインに設定される。すなわち、第１ゲイン及び第２ゲインを小さく設定することで、電力変化量は、小さくされる。これにより、ロータ１８の回転数が低くなりすぎること及び発電出力が高くなりすぎることが防がれる。
一方、発電機回転数計測値ωが第１設定値と第２設定値との間の場合、ゲインは、発電機回転数計測値ωの上昇と共に第１ゲイン及び第２ゲインよりも高い第３ゲインまで上昇し、該第３ゲインに達すると、第２ゲインに下降するように設定される。
【００６８】
図７は、第２実施形態に係る可変ゲインの一例を示す模式図であり、（Ａ）は、ゲインが三角形状に変化する場合を示し、（Ｂ）は、ゲインが円弧状に変化する場合を示す。なお、図７（Ａ），（Ｂ）の例では、ゲイン＝０が第１ゲイン及び第２ゲインであり、ゲイン＝１．０が第３ゲインである。第１ゲイン、第２ゲイン、第３ゲインの値は、これに限らず、他の値でもよく、第１ゲインと第２ゲインとの値が異なってもよい。また、ゲインの変化も三角形状、円弧状に限定されず、例えば、連続的な変化ではなく、発電機回転数計測値に応じて段階的に変化する不連続な変化であってもよい。
【００６９】
乗算器７２は、調定部６４から出力される電力変化量とゲイン部７０から出力されるゲインが入力され、電力変化量とゲインとを乗算し、乗算した結果をＰＦＲ要求量Ｐｄとしてを電力指令値生成部５０へ出力する。
【００７０】
なお、電力系統３８の周波数低下時（周波数設定値ｆ＊が周波数計測値ｆよりも大きくなる場合）には、調定部６４から出力される電力変化量は、正の値であるため、乗算器７２から出力されるＰＦＲ要求量Ｐｄは、０から正の値の範囲で変化するので、風力発電装置１０は、より多くの電力を電力系統３８へ供給する。
一方、電力系統３８の周波数上昇時（周波数設定値ｆ＊が周波数計測値ｆよりも小さくなる場合）では、調定部６４から出力される電力変化量は、負の値であるため、乗算器７２から出力されるＰＦＲ要求量Ｐｄは、負の値から０の範囲で変化するので、風力発電装置１０は、電力系統３８へ供給する電力を減少させる。
【００７１】
以上説明したように、第２実施形態に係る風車制御装置３２は、発電機回転数計測値に応じた、ゲインを変化させ、該ゲインを電力変化量に乗算させるので、電力系統３８の周波数の変動を回復させる場合に発電出力の増減が過剰となり、風力発電装置１０が電力系統へ電力を供給できなくなることを、より確実に防ぐことができる。
【００７２】
〔第３実施形態〕
以下、本発明の第３実施形態について説明する。
【００７３】
なお、本第３実施形態に係る風力発電装置１０、ウインドファーム３０、及び電力指令値生成部５０の構成は、図１，２，３に示される第１実施形態に係る風力発電装置１０、ウインドファーム３０、及び電力指令値生成部５０の構成と同様であるので説明を省略する。
【００７４】
本第３実施形態に係るＰＦＲ要求量生成部６０は、発電機４６の回転の加速度に応じて電力変化量を補正する。例えば、発電機４６が大きく減速する場合は（回転数の低下を防ぐために）、電力変化量を補正してＰＦＲ要求量を小さくし、発電機４６が大きく加速する場合は、電力変化量を補正してＰＦＲ要求量を大きくする。
【００７５】
図８は、本第３実施形態に係るＰＦＲ要求量生成部６０の構成を示す。なお、図８における図４と同一の構成部分については図４と同一の符号を付して、その説明を省略する。
【００７６】
図８（Ａ）に示すＰＦＲ要求量生成部６０の構成は、電力変化量に発電機回転数計測値に応じたゲインを加算することで電力変化量を補正する場合である。
図８（Ａ）に示すＰＦＲ要求量生成部６０は、微分器８０、ゲイン部８２、加算器８４、及び制限部８６を備える。
【００７７】
微分器８０は、発電機回転数計測値ωが入力され、発電機回転数計測値ωを微分することによって、発電機４６の回転の加速度を算出し、加速度をゲイン部８２に出力する。
なお、本第３実施形態に係るＰＦＲ要求量生成部６０は、微分器８０の代わりに、ノイズの影響を受けないようにするため、微分器８０の機能に類似、近似的な特性（発電機４６の回転の素早い変化を強調するような、高周波帯域のゲインが高い特性）を有するフィルタを用いてもよい。
【００７８】
ゲイン部８２は、加速度に応じたゲインを出力し、加算器８４に出力する。
【００７９】
加算器８４は、調定部６４から出力された電力変化量とゲイン部８２から出力されるゲインが入力され、電力変化量をゲインで加算し、その結果を制限部８６に出力する。
【００８０】
制限部８６は、下限値及び上限値が設定されており、加算器８４から出力された結果を下限値及び上限値の範囲となるように、制限したＰＦＲ要求量Ｐｄを出力する。なお、本第３実施形態に係るＰＦＲ要求量生成部６０は、制限部８６として、第１実施形態に係るＰＦＲ要求量生成部６０が備える制限部６６を用いてもよい。
【００８１】
図８（Ｂ）に示すＰＦＲ要求量生成部６０の構成は、調停率を可変とすることで電力変化量を補正する場合である。
図８（Ｂ）に示すＰＦＲ要求量生成部６０は、可変調定部８８を備えている。
【００８２】
可変調定部８８は、減算器６２から出力された周波数変化量とゲイン部８２から出力されるゲインが入力される。そして、可変調定部８８は、入力されたゲインに応じて、調定率を変化させ、変化させた調停率と周波数変化量を乗算することで、電圧変化量を算出し、電圧変化量を制限部８６へ出力する。
なお、可変調定部８８は、入力されるゲイン（発電機４６の回転数の微分値）が大きい場合には、調定率を小さくして、慣性力の取りすぎに起因してロータ１８の回転数が大きく変化する（落ち込む）ことを回避する一方、入力されるゲインが小さい場合には、慣性力を多めに取り出しても風力発電装置１０が解列に至るまでロータ１８の回転数が落ち込むことはないと考えられるため、調定率を大きくして、より多くの電力を風力発電装置１０から電力系統３８へ供給する。
【００８３】
以上説明したように、第３実施形態に係る風車制御装置３２は、発電機４６の回転の加速度に応じて電力変化量を補正するので、電力系統３８の周波数の変動を回復させる場合に発電出力の増減が過剰となり、風力発電装置１０が電力系統へ電力を供給できなくなることを、より確実に防ぐことができる。
【００８４】
〔第４実施形態〕
以下、本発明の第４実施形態について説明する。
なお、本第４実施形態に係る風力発電装置１０、ウインドファーム３０、及び電力指令値生成部５０の構成は、図１，２，３に示される第１実施形態に係る風力発電装置１０、ウインドファーム３０、及び電力指令値生成部５０の構成と同様であるので説明を省略する。
【００８５】
本第４実施形態に係るＰＦＲ要求量生成部６０は、風力発電装置１０の発電出力の周波数、風速の変動を予測し、予測結果に応じて電力変化量を補正する。例えば、発電機４６の発電出力の周波数、風速が小さくなる場合は（ロータの回転数の低下を防ぐために）、電力変化量を補正してＰＦＲ要求量を小さくし、発電機４６の発電出力の周波数、風速が大きくなる場合は、電力変化量を補正してＰＦＲ要求量を大きくする。
【００８６】
図９は、本第４実施形態に係るＰＦＲ要求量生成部６０の構成を示す。なお、図９における図４と同一の構成部分については図４と同一の符号を付して、その説明を省略する。
【００８７】
図９（Ａ）に示すＰＦＲ要求量生成部６０の構成は、電力変化量に発電出力の周波数、又は風速に応じた値を加算することで電力変化量を補正する場合である。
図９（Ａ）に示すＰＦＲ要求量生成部６０は、時系列推定部９０Ａ、加算器９２、及び制限部９４を備える。
【００８８】
時系列推定部９０Ａは、発電機回転数計測値ω、周波数計測値ｆ、及び風力発電装置１０に対する風速に基づいた、自己回帰モデル等の統計的手法を用いた時系列推定アルゴリズムによって、風力発電装置１０の発電出力の周波数、風力発電装置１０に対する風速の変動量を予測し、予測結果から補正出力を求め、該補正出力を加算器９２に出力する。
【００８９】
加算器９２は、調定部６４から出力された電力変化量と時系列推定部９０Ａから出力される補正出力が入力され、電力変化量を補正値で加算し、その結果を制限部９４に出力する。
【００９０】
制限部９４は、下限値及び上限値が設定されており、加算器９２から出力された結果を下限値及び上限値の範囲となるように、制限したＰＦＲ要求量Ｐｄを出力する。なお、本第４実施形態に係るＰＦＲ要求量生成部６０は、制限部９４として、第１実施形態に係るＰＦＲ要求量生成部６０が備える制限部６６を用いてもよい。
【００９１】
図９（Ｂ）に示すＰＦＲ要求量生成部６０の構成は、調停率を可変とすることで電力変化量を補正する場合である。
図９（Ｂ）に示すＰＦＲ要求量生成部６０は、時系列推定部９０Ｂ、可変調定部６４Ｂを備えている。
【００９２】
時系列推定部９０Ｂは、発電機回転数計測値ω、周波数計測値ｆ、及び風力発電装置１０に対する風速に基づいた、自己回帰モデル等の統計的手法を用いた時系列推定アルゴリズムによって、風力発電装置１０の発電出力の周波数、風力発電装置１０に対する風速の変動量を予測し、予測結果から補正係数を求め、該補正係数を加算器９２に出力する。
【００９３】
可変調定部６４Ｂは、減算器６２から出力された周波数変化量と時系列推定部９０Ｂから出力される補正係数が入力される。そして、可変調定部６４Ｂは、入力された補正係数を調定率に乗算することで調定率を変化させ、変化させた調停率と周波数変化量をさらに乗算することで、電圧変化量を算出し、電圧変化量を制限部９４へ出力する。
【００９４】
以上説明したように、第４実施形態に係る風車制御装置３２は、発電機４６の回転の加速度に応じて電力変化量を補正するので、電力系統３８の周波数の変動を回復させる場合に発電出力の増減が過剰となり、風力発電装置１０が電力系統へ電力を供給できなくなることを、より確実に防ぐことができる。
また、時系列推定部９０Ａ，９０Ｂに入力される値は、周波数計測値ｆ、発電機回転数計測値ω、及び風速に限らず、他の値が入力され、時系列推定アルゴリズムに用いられてもよい。
【００９５】
以上、本発明を、上記各実施形態を用いて説明したが、本発明の技術的範囲は上記実施形態に記載の範囲には限定されない。発明の要旨を逸脱しない範囲で上記各実施形態に多様な変更または改良を加えることができ、該変更または改良を加えた形態も本発明の技術的範囲に含まれる。
【００９６】
例えば、上記各実施形態では、ウインドファーム３０に複数の風力発電装置１０が備えられている形態について説明したが、本発明は、これに限定されず、ウインドファーム３０が一つの風力発電装置１０を備える形態としてもよい。
【符号の説明】
【００９７】
１０    風力発電装置
１８    ロータ
２０    翼
３０    ウインドファーム
３２    風車制御装置
３８    電力系統
４６    発電機
６２    減算器
６６    制限部
７０    ゲイン部
８０    微分器
８２    ゲイン部
９０Ａ  時系列推定部
９０Ｂ  時系列推定部
【図１】
0005455890.tif 000002
【図２】
0005455890.tif 000003
【図３】
0005455890.tif 000004
【図４】
0005455890.tif 000005
【図５】
0005455890.tif 000006
【図６】
0005455890.tif 000007
【図７】
0005455890.tif 000008
【図８】
0005455890.tif 000009
【図９】
0005455890.tif 000010
【図１０】
0005455890.tif 000011